(57)【要約】【課題】  視覚的に正しい歩行スタイルを記憶して、その型を体現しようとするのであるが、イメージどうり行かない難しさがあった。本発明は、腹部周囲の引き締めと減量に効果のある特殊歩行が正しく行われているかを判断する為になされたものである。【課題を解決するための手段】  【０００４】  通路体に移動体をもうけ、通路体に移動体の動きを止めるための止具を設け、この通路体を支持する為に支持具を直接、もしくは間接のいずれかの手段によって設けたところの歩行検査装置。【選択図】図１
2005144114.tif 000002
【特許請求の範囲】
【請求項１】
通路体に移動体をもうけ、通路体の端部に止具を設け、この通路体を支持する為の支持具を設けたところの歩行検査装置。
【発明の詳細な説明】
【技術分野】
【０００１】  本発明は、腹部周囲の引き締めと減量に効果のある歩行運動が、正しく行われているかを検査する、装置である。
【背景技術】
【０００２】  従来、このような歩行を検査する時は、録画して再生して見て検査をしていた。つまり、視覚的な方法しかなかった。
【発明の開示】
【発明が解決しようとする課題】
【０００３】  視覚的に正しい歩行スタイルを記憶して、その型を体現しようとするのであるが、イメージどうり行かない難しさがあった。
本発明は、この問題を解決する為になされたものである。
【課題を解決するための手段】
【０００４】  通路体に、自由に動ける移動体を設け、移動体が通路体から出ないように、通路体の両端に、移動体の動きを止めるための止具を設け、この通路体を支持する為に支持具を直接、もしくは間接のいずれかの手段によって設けたところの歩行検査装置。
【発明の効果】
【０００５】（１）本発明は、イメージに身体の動きを合わせるのではなく、身体の動きを同時進行形で知る事が出来るので、歩行中の自分の動きを判断して制御できる。
（２）歩行という日常の誰しも行う動作のなかで、容易に減量が行え、健康的な効果が得られ、特に腹部の細身化に効果のある装置で美容的効果もえられる。
（３）本発明を使用して行う歩行は、最も美しい歩行と言われるファッションショウにおけるモデルの歩行に近い。美しい歩行を身につけるという効果も得られる。
（４）軽量で小型の本発明は一日中身に付けも苦にならず、家庭内でもちょっと移動する時でも使用可能である。減量の為に特別な時間をさいて運動することが出来ない多忙な人などには極めて必要な発明である。
（５）日常の生活のなかで、歩行という不可欠な動作そのものを利用するので、従来この種の運動などで継続させるという、最も困難であった問題も考える必要すら無い。
【発明を実施するための最良の形態】
【０００６】  以下、本発明の実施の形態について説明する。
（イ）筒状の（１）通路体の両端に、（３）雄ネジを設ける。
（ロ）（１１）止具は内側に（１２）雌ネジを設けた帽子状のもので、内側底に（１３）クッション材を設置する。
（ハ）（７）移動体は球体で径が（１）通路体の内径より小さいものとする。
（ニ）（１９）継ぎては、二個の球体を繋ぎ合わせたような（８）ボールジョイントと（９）管を、交互に締り嵌めし、連結した自在継ぎてである。
（ホ）（１０）支持具は、鉄やプラスチックなど、多少弾性のある板を折り返してできたくリップである。
構成は、（１）通路体に、（１９）継ぎてを介して、（１０）支持具を設け、（１）通路体の中に（７）移動体を入れ、（３）雄ネジに（１１）止具の（１２）雌ネジをねじ込んでとめる。【０００７】本発明は以上のような構造で、これを使用する時は、（１０）支持具をパンツやスカーの（２０）の帯部を、（１０）支持具で挟んで留める。
（１０）支持具を２個使用する事により、本発明の取付け後のより安定を増す。
（１９）継ぎては、自在継ぎてであるので、（１０）支持具の取付け位置が思うような位置でなくとも自由に折り曲げて良い位置を選択できる。
使用する時は、腰を捻って歩行すると、（１）通路体も捻った方向に動く。すると通路体の中の（７）移動体が動いて、（１）通路体の両端の（１１）止具に当たり、音や振動を発する。（１３）クッションを使用したのは、音を吸収して小さくする目的もあるが、（７）移動体が（１１）止具に当たった時の、反発防止のためである。（７）移動体はできるだけ（１１）止具の所に留まり、腰が捻られ、それによって（１１）止具が振られ、（７）移動体を押して始めて移動しなければならない。腰の動きと（７）移動体とが常に一致してこそ正しい検知ができる。（１３）クッションはこの目的を達するために重要である。
規則正しい音もしくは振動を刻めば、正しい歩行が成されていると解る。
しかし所によって、音を発ててはならない場所に来た時は、（１）通路体を摘んで傾けると、水平バランスが崩れて（７）移動体が片方のみに寄って動かなくなり、音を発しない。【０００８】  この特殊歩行をする時、初心者は、歩行面に直線なるものを見つけて（１４）基準線とし、（１５）右足を（１４）基準線の左側に、（１６）左足を（１４）基準線の右側に置き、身体の横へのバランスを保つ為につま先を少し外向きに歩く。脚は交叉する時太腿が触れ合うように歩く。後ろ足は最後まで残し、しっかり膝の後ろを伸ばしてから前に運ぶようにする。最も注意することは、背筋をまっすぐ伸ばすことである。骨盤を前に押出すように歩くと良い。上半身を捻ったり動かしたりしないで歩くと、当然腰が捻られる。この腰の動きに合わせて本発明も動くので、動きの状態を検査できるのである。【０００９】  腰を捻って歩くと、何故、腹部周りの引き締め効果があるのかを（図８）モデル図で説明する。
人体の骨盤の上当たりと、肋骨当たりを、それぞれ水平に一周して線を引き、二つの輪を描く。さらに、上輪の３６０°を等分して、Ａ、Ｂ、Ｃ、Ｄ．．．．Ｐと順に符号を打ち、各々の符号から垂線を下ろして下の輪との交点を各々Ａ”、Ｂ”、Ｃ”、Ｄ”．．．．Ｐ”とする。  垂線ＡＡ”においてＡ”が、腰が捻られた事によってＢ”に移動したとする。直角三角形ＡＡ”Ｂ”において、Ａ点を中心に半径ＡＡ”で円を描き線分ＡＢ”との交点をＢ’とすると線分ＡＡ”＝ＡＢ’＝ＡＢ”−Ｂ’Ｂ”である。垂線ＡＡ”はＢ’Ｂ”＝αだけ伸びた事になる。この事は他の線分ＢＢ”ＣＣ”．．．ＰＰ”と、全てにおいて同様に成立する。腰の捻りの角度が大きくなればなるだけ伸びの長さαは大きくなる。【００１０】  人体は円柱形ではなく、腰を捻った時の変形も、もっと複雑な形であって、このモデル図の様にはいかぬが、腰が捻られる事によって、皮膚や筋肉や皮下脂肪などが伸び、また変形している事は間違いない。恐らく内臓も動いているであろう。これらの伸びや変形には、当然エネルギーの消費があり、腹部を痩せさせる効果と、筋肉を鍛え引き締める効果がある。美容上最大の問題となる腹部の出っ張りは、肥りのためばかりでなく、腹筋や横隔膜のたるみが内臓の重さを支えきれずに起きた現象でもある。【００１１】  捻り運動が他の運動と違うところは、一度に腰周り全周にわたって行われることである。従来この種の運動は、腹筋、背筋など分けて行っていた。
また、歩行という動作を利用しているので、他の筋力トレーニングのように一つの動作におけるエネルギーの消費量は劣るけれども、回数において桁違いである。歩ける人である限り、少なくとも一日２〜３千歩は歩いている。
【実施例１】
【００１２】  図３に示すように（４）止具が、蓋ではなくピンにした場合である。
（イ）  （１）通路体の端部に（２）孔を貫通して設ける。
（ロ）  （４）止具は、両端に（５）雌ネジもうけてある。
取付け方法は、（４）止具を（１）通路体の中に入れ、（６）ボルトを（２）孔に通して（５）雌ネジにねじ込んでとめる。【００１３】  以上のようにすると、使用中（７）移動体が動いて（４）止具に当たり音をだす。（１）通路体の両端が開放されているので、大きな音をだす。この音によって歩行の状態を知る事が出来る。【００１４】  尚（７）移動体を２個にしたのは意味がある。（７）移動体の材料が鉄やガラスなどの堅い物であった場合、（４）止具に当たったとき、反発力ですぐ返ってくる場合がある。（１）通路体と（７）移動体の動きは同時でなければ成らない。そうでなければ歩行検査装置とはならないからである。（７）移動体を２個にすると、先の（７）移動体が（４）止具に当たったとき、（７）移動体がもつ運動エネルギーは幾分失われ、反発してきても、勢いのある後から来た（７）移動体に押しこまれて反発できず、（４）止具のところに留まっているが、（１）通路体が反対側振られたとき、（４）止具によって押され、はじめて移動できる。つまり、身体の動きと（７）移動体とが、同時動きをするのである。
【実施例２】  （図５）は（１０）支持具を（１）通路体に直接設置したものであり、（１９）継ぎてによる、（１）通路体の両端を前後に動かすような調整ができないが、パンツやスカートの（２０）帯部の適当な位置を選ぶと使用できる。
【実施例３】
【００１５】  図７のように移動体が玉でなく（２４）移動体のように別なものの場合である。この場合は、円筒形の場合である。
（イ）（２４）移動体は円筒形で中心に（２７）孔を設けてある。
（ロ）（１９）継ぎては（２０）ヒンジアームＡと（２１）ヒンジアームＢからなり、各々端部に（２５）孔と（２６）ピン孔を設けてある
（ハ）（１０）支持具は、鉄やプラスチックなど、多少弾性のある板を折り返してできたクリップである。
（ニ）（２２）ピンは両端部の径を一段小さくして小径部を設け、（２６）ピン孔に合わせてある。
（ホ）（２３）通路体は両端部の径を一段小さくして（２５）孔に合わせてある。
構成は次のようにする。
（１９）継ぎては、（２０）ヒンジアームＡと（２１）ヒンジアームＢを（２６）ピン孔を合わせて重ねて一対として、二対作る。この二対を向き合わせ、間に（２２）ピンを置いて、両端の小径部を（２６）ピン孔に挿入し、端部をかしめて抜けないようにする。同様に（２３）通路体に、（２４）移動体の（２７）孔を遊合させてから、（２３）通路体を（２０）ヒンジアームＡと、（２０）ヒンジアームＡの間に置いて、両端の小径部を双方の（２５）孔に挿入して、夫々の端部をかしめて抜けないようにする。【００１６】  使用する時は（１０）支持具をパンツやスカートの（２０）帯部に、留める。
歩行によって腰が捻られ、本実施例の装置も左右に振られるたびに（２４）移動体が（２３）通路体に沿って滑り移動して（２０）ヒンジアー厶に当たり、その音と振動のによって腰の捻り具合を検査できる。
【実施例４】
【００１７】  （図９）のように支持具をクリップではなく、別の形態を示す。
（１１）留め具に、（２８）支持具をもうけるが、支持具を紐にした場合である。
この紐の（２８）支持具を腰に廻して縛り付けるのである。ただし（１）通路体の水平を正しくだしてから結わえる必要がある。
【実施例５】
【００１８】  （１９）継ぎてが自在継ぎてでなく、（２９）ゴム紐のばあいである。（２９）ゴム紐を伸ばした状態で、（１０）支持具を、パンツやスカートの（２０）帯部に留めると、（１）通路体を身体に密着させる事が出来て、（７）通路体の動きによる衝撃を感知しやすい。
（１９）継ぎてがゴム紐でなく単なる紐や鎖であっても、（１）通路体を保持できる。【００１９】  尚、支持具は図示はしないが、洗濯挟みのようにバネ式のものでも使用可能である。
要するに本発明を保持できるものであれば、それらを支持具とみなす。
【実施例６】
【００２０】
【図１１】
の様に、（７）移動体の衝撃をより大きく確実に感知する為に（３２）伝達具を設けた、他の実施例をしめす。
（ヘ）  筒状の（１）通路体の両端に、（３）雄ネジを設ける。
（ト）  （１１）止具は内側に（１２）雌ネジを設けた帽子状のもので、真中に（３５）孔を設けてある。て内側底に（１３）クッション材を設置する。クッション材はこの際バネを使用した。
（チ）  （７）移動体は球体で径が（１）通路体の内寸より小さいものとする。
（リ）  （３６）検知具は、径が（１）通路体の内径より小さい円柱で真中に（３４）ネジが設けてある。
（ヌ）  （３２）伝達具は、二個の球体を繋ぎ合わせたような（８）ボールジョイントと（９）管を、交互に締り嵌めし、連結した自在継ぎてであり。末端にプレート状の（３３）感知部を設けてある。
（ル）  （１０）支持具は、鉄やプラスチックなど、多少弾性のある板を折り返してできたくリップである。
（ヲ）  （３１）ジョイントは端部に球体を設け他端に（３０）ネジ部を設けてある。
構成は、（１）通路体に、（１０）支持具を設け、（１）通路体の中に（７）移動体を入れる。次に（３１）ジョイントを（１１）止具の（３５）孔に通し、続いて（１３）クッション材を通して、（３０）ネジを（３６）検知具の（３４）ネジにねじ込み固定する。
その後（３６）検知具を（１）通路体の中に入れ、（１１）止具の（１２）雌ネジを（１）通路体の（３）雄ネジにねじ込んで止める。
【００２１】  本実施例を使用する時は、（１０）支持具をパンツやスカートの（２０）帯部に取付け、（３３）感知部を（２０）帯部と腹部の間に挟んでとめる。
本実施例を使用した時、腰が捻られ（７）移動体が動き、（３６）検知具に当たるとその衝撃を（３１）ジョイントが受け、（３２）伝達具を介して先端の（３３）感知部にいたり、腹部を刺激して状況を知らせるのである。（７）移動体の当たった方の（３１）ジョイントが、（１３）クッション材の伸縮の量だけ動くので、確実に動きの状況を知る事ができる。
【００２２】  また、（７）移動体と（３６）検知部のいずれかを、適度な磁力をもつ磁石と鉄とした場合、（７）移動体が（３６）検知具に当たると吸着され、その位置にとどまるが、腰が反対側に捻られると、（１）通路体も振られて、このとき振られた時の力が、磁力の力より強ければ、（７）移動体が（３６）検知具より離れて移動する。このとき（３６）検知具を内側に引き付けた状態にして。（３６）検知具と（１１）止具との間に間隙を作って、次の（７）移動体が当たるのを待つことが出来る。この移動距離が、（３３）感知部の動きに影響を与えて確かな検知をすることが出来る。
【図面の簡単な説明】
【００２３】
【図１】本発明の斜視図
【図２】本発明の分解斜視図
【図３】本発明の他の実施例を示す斜視図
【図４】本発明の他の実施例を示す分解斜視図
【図５】本発明の他の実施例を示す斜視図
【図６】本発明の他の実施例を示す分解斜視図
【図７】本発明の他の実施例を示す斜視図
【図８】本発明の使用状態の解析を行ったモデル図
【図９】本発明の他の実施例を示す斜視図
【図１０】本発明の他の実施例を示す斜視図
【図１１】本発明の他の実施例を示す斜視図
【図１２】本発明の他の実施例を示す分解斜視図
【図１３】本発明の使用状態を示す斜視図
【図１４】本発明の使用状態を示す足跡の平面図
【符号の説明】
【００２４】１，２３    通路体
２    孔
３    雄ネジ
４    止具
５    雌ネジ
６    ボルト
７，２４    移動体
８    ボールジョイント
９    管
１０，２８  支持具
１１  止具
１２  雌ネジ
１３  クッション
１４  基準線
１５  右足
１６  左足
１７  右足跡
１８  左足跡
１９  継ぎて
２０  ヒンジアームＡ
２１  ヒンジアームＢ
２２  ピン
２５，２７，３５  孔
２６  ピン孔
２９  ゴム紐
３０，３４  ネジ
３１  ジョイント
３２  伝達具
３３  感知部
【図１】
2005144114.tif 000003
【図２】
2005144114.tif 000004
【図３】
2005144114.tif 000005
【図４】
2005144114.tif 000006
【図５】
2005144114.tif 000007
【図６】
2005144114.tif 000008
【図７】
2005144114.tif 000009
【図８】
2005144114.tif 000010
【図９】
2005144114.tif 000011
【図１０】
2005144114.tif 000012
【図１１】
2005144114.tif 000013
【図１２】
2005144114.tif 000014
【図１３】
2005144114.tif 000015
【図１４】
2005144114.tif 000016